(57)【特許請求の範囲】
【請求項１】
地面上に載置可能とされ、内部に液体、および／もしくは土砂などの重しを収容可能とする収容空間を有する可撓性のチューブと、一端縁が上記チューブに連結され他端縁側がこのチューブから外側方に向って延出可能とされてその上面に土砂などの他の重しを載置可能とさせる膜材製の支持体とを備えた土、水留め用チューブ装置において、
単一の上記チューブに対し上記支持体を上下に複数枚設け、これら支持体の各一端縁を上下方向で所定間隔を空けて配置した土、水留め用チューブ装置。
【請求項２】
上記支持体を網形状とした請求項１に記載の土、水留め用チューブ装置。
【請求項３】
上記チューブが、その外殻を構成する外チューブと、この外チューブの内部に収容されて上記収容空間を有する内チューブとを備え、
上記チューブの長手方向に沿った視線でみて、上記内チューブを複数本設け、これら内チューブを水平方向に並設させた請求項１、もしくは２に記載の土、水留め用チューブ装置。
【請求項４】
上記チューブの長手方向に沿った視線でみて、上記チューブの内部を複数の区画室に仕切る膜材製の仕切体を設け、上記区画室を水平方向に並設させた請求項１、もしくは２に記載の土、水留め用チューブ装置。
【発明の詳細な説明】
【０００１】
【発明が属する技術分野】
本発明は、地面上に載置され、土木工事などにおける土留めや水留め用として用いられる土、水留め用チューブ装置に関するものである。
【０００２】
【従来の技術】
上記土、水留め用チューブ装置には、近時、地面上に載置可能とされ、内部に液体、および／もしくは土砂などの重しを収容可能とする収容空間を有する可撓性のチューブと、一端縁が上記チューブの下面に連結され他端縁側がこのチューブから地面に沿うよう外側方に向って延出可能とされてその上面に土砂などの他の重しを載置可能とさせる膜材製の支持体とを備えたものが提案されている。
【０００３】
そして、地面上の所定位置に上記チューブと支持体とを載置し、上記チューブの収容空間に液体や土砂などの重しを収容させて重量を与え、かつ、上記支持体上に土砂などの他の重しを載置させることにより、地面と上記チューブおよび支持体との間の摩擦力をそれぞれ増大させれば、上記チューブは地面上に、その所定位置から移動し難いように設置されることとなり、もって、このチューブの両外側面のうち、いずれかの外側面が土留めや水留めの対象物から与えられる外力に対抗して、この土留め等の機能が発揮される。
【０００４】
【発明が解決しようとする課題】
ところで、上記したように、チューブにより土留め等をさせたとき、このチューブの両外側面のうち、上記支持体を配置した側の一方の外側面が土留め等の対象物から大きい外力を受けたとすると、この外力により、上記チューブの上部側は、このチューブの他方の外側面の外側方に向って転倒させられるおそれを生じ、この場合には、土留め等の機能が十分には達成されなくなる。
【０００５】
また、特に、上記チューブの収容空間に水などの液体を収容させて、このチューブにより土留め等をさせた場合には、仮に、このチューブが上記対象物からの外力で損傷したとすると、液体の漏れが生じて土留めの機能が低下し、この機能が確実には達成されなくなるという寿命上の問題点が生じるおそれもある。
【０００６】
本発明は、上記のような事情に注目してなされたもので、チューブ装置による土留め等の機能がより確実に達成されるようにし、かつ、上記チューブ装置の寿命を向上させるようにすることを課題とする。
【０００７】
【課題を解決するための手段】
上記課題を解決するための本発明の土、水留め用チューブ装置は、次の如くである。
【０００８】
請求項１の発明は、全図に例示するように、地面２上に載置可能とされ、内部に液体、および／もしくは土砂などの重し３を収容可能とする収容空間４を有する可撓性のチューブ５と、一端縁１０が上記チューブ５に連結され他端縁１１側がこのチューブ５から外側方に向って延出可能とされてその上面に土砂などの他の重し８を載置可能とさせる膜材製の支持体９とを備えた土、水留め用チューブ装置において、
【０００９】
単一の上記チューブ５に対し上記支持体９を上下に複数枚設け、これら支持体９の各一端縁１０を上下方向で所定間隔（Ａ）を空けて配置したものである。
【００１０】
請求項２の発明は、全図に例示するように、請求項１の発明に加えて、上記支持体９を網形状としたものである。
【００１１】
請求項３の発明は、図１、もしくは２に例示するように、請求項１、もしくは２の発明に加えて、上記チューブ５が、その外殻を構成する外チューブ１６と、この外チューブ１６の内部に収容されて上記収容空間４を有する内チューブ１７とを備え、
【００１２】
上記チューブ５の長手方向に沿った視線でみて、上記内チューブ１７を複数本設け、これら内チューブ１７を水平方向に並設させたものである。
【００１３】
請求項４の発明は、図３に例示するように、請求項１、もしくは２の発明に加えて、上記チューブ５の長手方向に沿った視線でみて、上記チューブ５の内部を複数の区画室２６，２６に仕切る膜材製の仕切体２７を設け、上記区画室２６，２６を水平方向に並設させたものである。
【００１４】
【発明の実施の形態】
以下、本発明の実施の形態を図面により説明する。
【００１５】
（第１の実施の形態）
【００１６】
図１，２は、第１の実施の形態を示している。
【００１７】
図１，２において、符号１は、土、水留め用チューブ装置である。
【００１８】
上記チューブ装置１は、地面２上に沿って長く延びると共に、この地面２上に載置可能とされ、内部に液体ポンプ等により、液体、および／もしくは土砂などの重し３を注入可能とさせ、かつ、収容可能とする密閉された収容空間４を有する膜材製で可撓性のチューブ５を備え、このチューブ５は、上記収容空間４に重し３を収容して所定の重量を与えられ、もって、上記地面２上の所定位置に移動し難いように設置される。
【００１９】
また、上記チューブ装置１は、上記チューブ５からその外側方に向って延出可能とされてその上面に土砂などの他の重し８を載置可能とさせる膜材製の支持体９を備えている。この支持体９は、その一端縁１０が上記チューブ５の長手方向のほぼ全体にわたり縫合や溶着等により連結され、他端縁１１側は上記チューブ５の両外側面１２，１３のうち、一方の外側面１２の外側方に向って延出させられている。
【００２０】
上記チューブ５の収納時や搬送時には、上記収容空間４から空気が抜かれて、平坦にしぼんだ形状とされる。一方、各図で示すように、上記チューブ５に重し３が収容されて膨張させられた状態において、上記支持体９は単一の上記チューブ５に対し上下に複数枚が設けられ、これら支持体９の一端縁１０は上下方向で所定間隔（Ａ）を空けて配置され、これら各間隔（Ａ）はほぼ等間隔とされている。
【００２１】
上記支持体９のうち、一部の支持体９である最下端の支持体９の一端縁１０が上記チューブ５の下部である底部下面に連結され、他部の支持体９である最上端の支持体９の一端縁１０が上記チューブ５の一方の外側面１２の上部に連結されている。
【００２２】
上記チューブ５は、その外殻を構成する外チューブ１６と、この外チューブ１６の内部に収容されて上記収容空間４を有する内チューブ１７とを備え、上記各支持体９は上記外チューブ１６に連結されている。また、上記チューブ５の内チューブ１７の上面膜には、上記収容空間４の内外を連通させて、上記重し３を上記収容空間４に出し入れ自在とさせる連通口１８が形成され、この連通口１８は開閉自在とされ、不図示の閉止具で閉塞可能とされている。
【００２３】
上記各支持体９は、ジオグリッドなど、上記外チューブ１６よりも目が粗くて摩擦係数の大きい網形状の膜材製とされている。上記外チューブ１６はジオテキスタイルなど引張強度の大きい膜材製とされ、これら膜材の縫い加工や、接着加工により成形される。一方、上記内チューブ１７は上記外チューブ１６よりも引張強度は小さいが塩ビシートや、ゴム膜など不透液体性膜材製とされ、溶着作業や金型などにより一体成形されている。
【００２４】
上記チューブ５の長手方向に沿った視線でみた上記チューブ５の断面視（図１）で、上記内チューブ１７は複数本（３本）設けられ、これら各内チューブ１７の収容空間４は互いに独立させられていて、これら各収容空間４，４の間での水の流動は防止され、上記各内チューブ１７，１７は水平方向で並設されている。また、上記視線でみた上記チューブ５の断面視（図１）で、上記内チューブ１７に重し３である水を充満させたとき、上記外チューブ１６の内面のほぼ全体にわたり、上記内チューブ１７の外面が圧接することとされている。
【００２５】
上記構成によれば、地面２上に載置可能とされ、内部に液体、および／もしくは土砂などの重し３を収容可能とする収容空間４を有する可撓性のチューブ５と、一端縁１０が上記チューブ５に連結され他端縁１１側がこのチューブ５から外側方に向って延出可能とされてその上面に土砂などの他の重し８を載置可能とさせる膜材製の支持体９とを備えた土、水留め用チューブ装置において、単一の上記チューブ５に対し上記支持体９を上下に複数枚設け、これら支持体９の各一端縁１０を上下方向で所定間隔を空けて配置してある。
【００２６】
このため、地面２上の所定位置に上記チューブ５と支持体９とを載置し、上記チューブ５の収容空間に液体や土砂などの重し３を収容させて重量を与え、かつ、上記支持体９上に土砂などの他の重し８を載置させることにより、地面２と上記チューブ５および支持体９との間の摩擦力をそれぞれ増大させれば、上記チューブ５は地面２上に、その所定位置から移動し難いように設置されることとなり、もって、このチューブ５の両外側面１２，１３のうち、いずれかの外側面が、土留め（図１中実線）や水留め（図１中一点鎖線）（以下、これを土留め等という）の対象物２１から与えられる外力に対抗して、この土留め等の機能が発揮される。
【００２７】
上記の場合、チューブ５の両外側面１２，１３のうち、上記支持体９を配置した側の一方の外側面１２は、土留めの対象物２１から大きい外力を受けて、上記チューブ５の上部が他方の外側面１３の外側方に向って転倒させられがちとなる。
【００２８】
しかし、上記複数の支持体９のうち、上部側に位置してその一端縁１０が上記チューブ５の上部側に連結され、上記他の重し８から重量を与えられている支持体９が、上記したチューブ５の上部の転倒を防止する。
【００２９】
よって、上記チューブ５には所定の形状が保持されて、上記チューブ装置１による土留め等の機能がより確実に達成される。
【００３０】
また、上記チューブ装置１が備えるチューブ５と各支持体９はいずれも可撓性であるため、上記チューブ装置１の収納時や搬送時などの取り扱い時には、上記収容空間４から重し３と空気を抜き出して、一旦、平坦な形状にさせ、その後、このチューブ５を上記各支持体９と共にロール形状に巻き付ければ、コンパクトな形状にでき、よって、上記チューブ装置１の取り扱いが容易にできる。
【００３１】
また、前記したように、支持体９を網形状としてある。
【００３２】
このため、上記各支持体９の上側にそれぞれ土砂などの重し８と共に位置する水分は、上記各支持体９を通って順次、下方に排水されることから、上記重し８の流動化が防止されて強化が図れ、その分、上記各支持体９によるチューブ５の上部の転倒がより確実に防止される。
【００３３】
よって、上記チューブ５にはより確実に所定の形状が保持されて、上記チューブ装置１による土留め等の機能が更に確実に達成される。
【００３４】
また、前記したように、チューブ５が、その外殻を構成する外チューブ１６と、この外チューブ１６の内部に収容されて上記収容空間４を有する内チューブ１７とを備えている。
【００３５】
このため、地面２上へのチューブ５の設置後には、このチューブ５は土留め等の対象物２１から大きい外力を与えられるが、この外力で上記内チューブ１７が損傷するということは、上記外チューブ１６によって防止される。
【００３６】
よって、上記内チューブ１７に重し３として液体を収容させた場合でも、液体の漏れの防止が長期にわたり維持されて、上記チューブ装置１の寿命の向上が達成される。
【００３７】
また、前記したように、チューブ５の長手方向に沿った視線でみた断面視（図１）で、上記内チューブ１７を複数本設け、これら内チューブ１７を水平方向に並設させてある。
【００３８】
このため、上記チューブ５の一方の外側面１２が上記対象物２１からの外力を与えられて、他方の外側面１３の外側方に向って転動しようとしても、この転動の進行は、上記各内チューブ１７に収容された重し３である液体の重量によって防止される。
【００３９】
よって、チューブ装置１のチューブ５の転動が防止されて、チューブ装置１による土留め等の機能がより確実に達成される。
【００４０】
ところで、重し３が液体である場合、上記外チューブ１６は、重し３である液体を直接に収容するものではなく液体漏れ防止を考慮しないで足りるため、膜材の縫い加工や接着加工により成形することができ、よって、大口径など大形の外チューブ１６の成形が容易にできる。一方、上記内チューブ１７は、液体を漏出しないように収容可能とする必要上、液体の漏出のおそれを生じる膜材の縫い加工や接着加工によって内チューブ１７を成形することは避けられ、金型等で一体成形される。しかし、この場合、大口径で大形の内チューブ１７の成形は容易でない。
【００４１】
そこで、上記したように、内チューブ１７を複数設けており、このため、これら各内チューブ１７は小形となって、これら内チューブ１７の成形が容易にでき、つまり、上記チューブ装置１の成形が容易にできる。
【００４２】
また、前記したように、チューブ５の断面視で上記内チューブ１７に重し３である水を充満させたとき（図１）、上記内チューブ１７よりも引張強度の大きい外チューブ１６の内面のほぼ全体にわたり、上記内チューブ１７の外面が圧接するようにしてある。
【００４３】
このため、上記チューブ５が対象物２１から外力を受けるときには、上記外チューブ１６と内チューブ１７とが協同して上記外力に対抗する。
【００４４】
よって、上記対象物２１からの外力に対し、上記チューブ５の寿命の向上が達成され、つまり、チューブ装置１の寿命の向上が達成される。
【００４５】
しかも、各内チューブ１７は互いに個別に設けられていて、それぞれの内部の収容空間４は互いに独立させてあり、少なくともこれら各収容空間４の底部同士で互いに水が流動することは防止されている。
【００４６】
このため、仮に、上記各内チューブ１７のうちのいずれかが破損して液体の漏れが生じたとしても、上記チューブ装置１による土留め等の機能が大きく低下するということは防止され、この点でもチューブ装置１の寿命の向上が達成される。
【００４７】
なお、図１中二点鎖線で示すように、最下端の支持体９の一端縁１０を上記チューブ５の他方の外側面１３の外側方に向って一体的に延出させてもよい。
【００４８】
また、以上は図示の例によるが、地面２上はコンクリート製の面上であってもよく、重し３は、水の他、へどろなどのスラリー状の液体であってもよく、また、小石やブロックであってもよい。また、上記支持体９は上下方向で２枚だけであってもよく、また、上記チューブ５の長手方向の各端部や中途部などに部分的に設けてもよい。
【００４９】
また、上記外チューブ１６と内チューブ１７とは互いに一体成形してもよく、チューブ５を外チューブ１６もしくは内チューブ１７のみで構成してもよい。また、上記外チューブ１６は目の粗い網製のものや、可撓性の枠形状のものを含む概念とする。また、上記重し３が土砂など固体である場合には、上記内チューブ１７は外チューブ１６と同じ材質のジオテキスタイルなど透水性のものであってもよい。また、上記内チューブ１７は１本であってもよく、２本もしくは４本以上を並設させてもよい。
【００５０】
以下の図３は、第２の実施の形態を示している。この実施の形態は、前記第１の実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００５１】
（第２の実施の形態）
【００５２】
図３は、第２の実施の形態を示している。
【００５３】
これによれば、最下端の支持体９の一端縁１０が上記チューブ５の他方の外側面１３の外側方に向って一体的に延出させられ、これが延出体２４とされ、この延出体２４は上記チューブ５の他方の外側面１３に沿って折り返された後、上記チューブ５の上面側からその一方の外側面１２の外側方に向って延出させられ、かつ、その延出端が上記支持体９の他端縁１１側の上面に接合させられている。
【００５４】
上記延出体２４において、上記チューブ５の上面側からこのチューブ５の一方の外側面１２の外側方に向って延出した部分が他部の支持体９とされている。この場合、この支持体９の一端縁１０は上記チューブ５の上面に接合されただけであるが、上記支持体９を構成する延出体２４が上記チューブ５に連結されている関係で、上記支持体９の一端縁１０は実質的に上記チューブ５に連結されている。
【００５５】
なお、上記チューブ装置１は、上下の関係を逆にしてもよい。
【００５６】
上記構成によれば、チューブ５の長手方向に沿った視線でみて（図３）、左右に長く延びる膜材料の長手方向の中途部をチューブ５の下面もしくは上面に連結して、この膜材料の各端部側を上記各支持体９，９としてあり、このため、各支持体９，９が一枚の膜材料により成形された分、上記チューブ装置１の部品点数が少なくなって、構成が簡単になると共に、成形が容易となる。
【００５７】
また、上記チューブ５の長手方向に沿った視線でみて、上記チューブ５の内部を複数の区画室２６，２６に仕切る不透液体性膜材製の仕切体２７が設けられ、上記区画室２６，２６が水平方向で並設されている。
【００５８】
このため、上記チューブ５の一方の外側面１２が上記対象物２１からの外力を与えられて、他方の外側面１３の外側方に向って転動しようとしても、この転動の進行は、上記各区画室２６，２６に収容された重し３である液体の重量によって防止される。
【００５９】
よって、チューブ装置１のチューブ５の転動が防止されて、チューブ装置１による土留め等の機能がより確実に達成される。
【００６０】
また、上記各区画室２６は互いに独立させてあり、少なくともこれら各区画室２６，２６の間で互いに液体が流動することは防止されている。
【００６１】
このため、前記したように内チューブ１７を個別に設けた場合と同様に、チューブ装置１の寿命の向上が達成される。
【００６２】
【発明の効果】
本発明による効果は、次の如くである。
【００６３】
請求項１の発明は、地面上に載置可能とされ、内部に液体、および／もしくは土砂などの重しを収容可能とする収容空間を有する可撓性のチューブと、一端縁が上記チューブに連結され他端縁側がこのチューブから外側方に向って延出可能とされてその上面に土砂などの他の重しを載置可能とさせる膜材製の支持体とを備えた土、水留め用チューブ装置において、
【００６４】
単一の上記チューブ５に対し上記支持体を上下に複数枚設け、これら支持体の各一端縁を上下方向で所定間隔を空けて配置してある。
【００６５】
このため、地面上の所定位置に上記チューブと支持体とを載置し、上記チューブの収容空間に液体や土砂などの重しを収容させて重量を与え、かつ、上記支持体上に土砂などの他の重しを載置させることにより、地面と上記チューブおよび支持体との間の摩擦力をそれぞれ増大させれば、上記チューブは地面上に、その所定位置から移動し難いように設置されることとなり、もって、このチューブの両外側面のうち、いずれかの外側面が、土留めや水留めの対象物から与えられる外力に対抗して、この土留め等の機能が発揮される。
【００６６】
上記の場合、チューブの両外側面のうち、上記支持体を配置した側の一方の外側面が、土留め等の対象物から大きい外力を受けると、この外力により、上記チューブの上部が他方の外側面の外側方に向って転倒させられがちとなる。
【００６７】
しかし、上記複数の支持体のうち、上部側に位置してその一端縁１０が上記チューブの上部側に連結され、上記他の重しから重量を与えられている支持体が、上記したチューブの上部の転倒を防止する。
【００６８】
よって、上記チューブには所定の形状が保持されて、上記チューブ装置による土留め等の機能がより確実に達成される。
【００６９】
また、上記チューブ装置が備えるチューブと各支持体はいずれも可撓性であるため、上記チューブ装置の収納時や搬送時などの取り扱い時には、上記収容空間から重しと空気を抜き出して、一旦、平坦な形状にさせ、その後、このチューブを上記各支持体と共にロール形状に巻き付ければ、コンパクトな形状にでき、よって、上記チューブ装置の取り扱いが容易にできる。
【００７０】
請求項２の発明は、上記支持体を網形状としてある。
【００７１】
このため、上記各支持体の上側にそれぞれ土砂などの重しと共に位置する水分は、上記各支持体を通って順次、下方に排水されることから、上記重しの流動化が防止されて強化が図れ、その分、上記各支持体によるチューブの上部の転倒がより確実に防止される。
【００７２】
よって、上記チューブにはより確実に所定の形状が保持されて、上記チューブ装置による土留め等の機能が更に確実に達成される。
【００７３】
請求項３の発明は、上記チューブが、その外殻を構成する外チューブと、この外チューブの内部に収容されて上記収容空間を有する内チューブとを備えている。
【００７４】
このため、地面上へのチューブの設置後には、このチューブは土留め等の対象物から大きい外力を与えられるが、この外力で上記内チューブが損傷するということは、上記外チューブによって防止される。
【００７５】
よって、上記内チューブに重しとして液体を収容させた場合でも、液体の漏れの防止が長期にわたり維持されて、上記チューブ装置の寿命の向上が達成される。
【００７６】
また、上記チューブの長手方向に沿った視線でみた断面視で、上記内チューブを複数本設け、これら内チューブを水平方向に並設させてある。
【００７７】
このため、上記チューブの一方の外側面が上記対象物からの外力を与えられて、他方の外側面の外側方に向って転動しようとしても、この転動の進行は、上記各内チューブに収容された重しの重量によって防止される。
【００７８】
よって、チューブ装置のチューブ５の転動が防止されて、チューブ装置による土留め等の機能がより確実に達成される。
【００７９】
ところで、上記外チューブは、重しが液体である場合、この液体を直接に収容するものではなく液体の漏れ防止を考慮しないで足りるため、膜材の縫い加工や接着加工により成形することができ、よって、大口径など大形の外チューブの成形が容易にできる。一方、上記内チューブは、液体を漏出しないように収容可能とする必要上、液体の漏出のおそれを生じる膜材の縫い加工や接着加工によって内チューブを成形することは避けられ、金型等で一体成形される。しかし、この場合、大口径で大形の内チューブの成形は容易でない。
【００８０】
そこで、上記したように、内チューブを複数設けており、このため、これら各内チューブは小形となって、これら内チューブの成形が容易にでき、つまり、上記チューブ装置の成形が容易にできる。
【００８１】
請求項４の発明は、上記チューブの長手方向に沿った視線でみて、上記チューブの内部を複数の区画室に仕切る膜材製の仕切体を設け、上記区画室を水平方向に並設させてある。
【００８２】
このため、上記チューブの一方の外側面が上記対象物からの外力を受けて、他方の外側面の外側方に向って転動しようとしても、この転動の進行は、上記各区画室に収容された重しの重量によって防止される。
【００８３】
よって、チューブ装置のチューブの転動が防止されて、チューブ装置による土留め等の機能がより確実に達成される。
【図面の簡単な説明】
【図１】  第１の実施の形態で、図２の１‐１線矢視断面図である。
【図２】  第１の実施の形態で、チューブ装置の斜視部分断面図である。
【図３】  第２の実施の形態で、図１に相当する図である。
【符号の説明】
１      チューブ装置
２      地面
３      重し
４      収容空間
５      チューブ
８      重し
９      支持体
１０    一端縁
１１    他端縁
１２    外側面
１３    外側面
１６    外チューブ
１７    内チューブ
２１    対象物
２４    延出体
２６    区画室
２７    仕切体
（Ａ）  間隔
【図１】
0004666844.tif 000002
【図２】
0004666844.tif 000003
【図３】
0004666844.tif 000004